(57)【要約】【課題】１枚の情報表示用パネルを１枚の紙の表裏のように利用したり、書き換えた情報の表示を待つ動作をなくすことができ、従来の紙媒体書籍と同じ感覚でページをめくって進めたり戻したりして読み進めることができる両面表示式情報表示装置を提供する。【解決手段】本発明の両面表示式情報表示装置１は、両面表示可能な情報表示用パネル２を回転軸５を有する筐体３とともに一体とし、回転軸５を枠体６に回転自在に装着して構成され、回転軸５と平行な情報表示用パネル２の一方の縁部に、ページ送り書換モード／ページ戻し書換モードを判断する書換モード判断手段７と、書換モード情報を書換信号として伝達する書換モード伝達手段８とを設け、情報表示用パネル２の回転方向に応じた情報書換モードで書換駆動装置１１を作動させることにより情報表示パネル２の一方の表示面に次ページ情報または前ページ情報を表示するように構成されている。【選択図】図１
2008309950.tif 000002
【特許請求の範囲】
【請求項１】
両面表示可能な情報表示用パネルを用いた両面表示式情報表示装置であって、
両面表示可能な情報表示用パネルをその周囲の少なくとも一部に回転軸を有する筐体とともに一体とし、この回転軸を枠体に回転自在に装着して構成され、
回転軸と平行な情報表示用パネルの一方の縁部に、情報書換モードがページ送り書換モードかページ戻し書換モードかを判断する書換モード判断手段と、判断した書換モード情報を書換駆動装置に書換信号として伝達する書換モード伝達手段とを設け、
情報表示用パネルの回転方向に応じた情報書換モードで書換駆動装置を作動させることにより情報表示用パネルの一方の表示面に次ページ情報または前ページ情報を表示するようにしたことを特徴とする両面表示式情報表示装置。
【請求項２】
書換モード判断手段は、倒れこみスイッチと、情報表示用パネルの回転開始時に係合して倒れこみスイッチを倒れさせるよう枠体に設けられた係合部材とから成ることを特徴とする請求項１に記載の両面表示式情報表示装置。
【請求項３】
書換モード判断手段は、情報表示用パネルの回転開始時に枠体と接触回転するローラを有する回転スイッチから成ることを特徴とする請求項１に記載の両面表示式情報表示装置。
【請求項４】
書換モード伝達手段は、無線により書換モード情報を書換駆動装置に伝達するものであることを特徴とする請求項１〜３のいずれか１項に記載の両面表示式情報表示装置。
【請求項５】
書換モード伝達手段は、有線により書換モード情報を書換駆動装置に伝達するものであることを特徴とする請求項１〜３のいずれか１項に記載の両面表示式情報表示装置。
【請求項６】
両面表示可能な情報表示用パネルの両表示画面を、少なくとも１種類以上の粒子からなり電界駆動可能な表示媒体を２枚の透明基板間に封入し、基板に設けた透明対電極から電界を付与することで表示媒体を移動させて画像等の情報表示を書き換えするドットマトリックス表示方式の表示部パネル１枚で構成したことを特徴とする請求項１〜５のいずれか１項に記載の両面表示式情報表示装置。
【請求項７】
両面表示可能な情報表示用パネルの両表示画面を、透明な電極付き基板で構成し、その２枚の電極付き透明基板の間に、透明でなく、かつ、前記２枚の透明基板の電極と対をなすような電極が両面に設けられた基板を配置して形成された２つの基板間空間にそれぞれ少なくとも１種類以上の粒子からなり電界駆動可能な表示媒体を封入し、基板に設けた対電極から電界を付与することで表示媒体を移動させて画像等の情報表示を書き換えするドットマトリックス表示方式の表示部パネル１枚で構成したことを特徴とする請求項１〜５のいずれか１項に記載の両面表示式情報表示装置。
【請求項８】
両面表示可能な情報表示用パネルの両表示画面を、少なくとも１種類以上の粒子からなり電界駆動可能な表示媒体を一方が透明でもう一方が不透明な２枚の基板間に封入し、基板に設けた対電極から電界を付与することで表示媒体を移動させて画像等の情報表示を書き換えするドットマトリックス表示方式の表示部パネル２枚を組み合わせて構成したことを特徴とする請求項１〜５のいずれか１項に記載の両面表示式情報表示装置。
【請求項９】
両表示画面の少なくとも外側に設けた回転軸を有する筐体に、表示させたい情報を取り込むためのメモリー収納部、電池、書換駆動装置、書換モード判断手段および書換モード伝達手段を搭載し、書換モード伝達手段により伝達された書換モード情報に応じて表示する情報を書き換える両面表示可能な情報表示パネルをもって構成されていることを特徴とする請求項１〜８のいずれか１項に記載の両面表示式情報表示装置。
【発明の詳細な説明】
【技術分野】
【０００１】
本発明は、両面表示可能な情報表示用パネルを用いた両面表示式情報表示装置に関するものである。
【背景技術】
【０００２】
従来、情報表示用パネルを用いた情報表示装置の一例として、表示媒体として液晶を用いた情報表示装置（液晶方式：例えば特許文献１参照）や、表示媒体として帯電粒子を用いた情報表示装置（電気泳動方式や電子粉流体方式）が知られている。そのうち、電子粉流体方式の情報表示装置を利用した例として、本願出願人は、電子書籍表示装置（例えば特許文献２参照）および電子棚札（例えば特許文献３参照）を開示している。
【０００３】
【特許文献１】特開平９−２６５４７０号公報
【特許文献２】特開２００６−５８５７８号公報
【特許文献３】特開２００５−３０１０３０号公報
【０００４】
上述した従来の情報表示用パネルを利用した例では、いずれも、画面に表示させた情報に代わって別の情報を表示させる場合、同じ表示面を使って別の情報の表示を行っていた。つまり、表示させた情報を消去してから次に表示する別の情報を表示する（情報を書き換える）ことを行っていた。
【発明の開示】
【発明が解決しようとする課題】
【０００５】
そのため、上述した従来の情報表示用パネルを利用した例では、ユーザは画面に表示された情報への書き換えが終了するまで待つことになるが、その間、どうしても画面を見続けてしまう人間的習性のため、ユーザの目が疲れるという問題があった。また、表示している情報の書き換え動作中も画面を見続けていることになるため、書き換えに要する時間を長く感じる場合もあり、紙媒体書籍の読書に慣れた人には、スピーディーでリズミカルな読書のような使い方ができないという不都合もあった。
【０００６】
本発明の目的は上述した問題点を解消して、１枚の情報表示用パネルを１枚の紙の表裏面のように利用することができ、書き換えた情報が表示されるまで待つ動作をなくすことができ、さらに、従来の紙媒体書籍と同じ感覚でページをめくって進めたり戻したりして読み進めることができる両面表示式情報表示装置を提供しようとするものである。
【課題を解決するための手段】
【０００７】
本発明の両面表示式情報表示装置は、両面表示可能な情報表示用パネルを用いた両面表示式情報表示装置であって、両面表示可能な情報表示用パネルをその周囲の少なくとも一部に回転軸を有する筐体とともに一体とし、この回転軸を枠体に回転自在に装着して構成され、回転軸と平行な情報表示用パネルの一方の縁部に、情報書換モードがページ送り書換モードかページ戻し書換モードかを判断する書換モード判断手段と、判断した書換モード情報を書換駆動装置に書換信号として伝達する書換モード伝達手段とを設け、情報表示用パネルの回転方向に応じた情報書換モードで書換駆動装置を作動させることにより情報表示用パネルの一方の表示面に次ページ情報または前ページ情報を表示するようにしたことを特徴とする。
【０００８】
本発明の両面表示式情報表示装置の好適例としては、書換モード判断手段は、倒れこみスイッチと、情報表示用パネルの回転開始時に係合して倒れこみスイッチを倒れさせるよう枠体に設けられた係合部材とから成ること、書換モード判断手段は、情報表示用パネルの回転開始時に枠体と接触回転するローラを有する回転スイッチから成ること、書換モード伝達手段は、無線により書換モード情報を書換駆動装置に伝達するものであること、書換モード伝達手段は、有線により書換モード情報を書換駆動装置に伝達するものであること、両面表示可能な情報表示用パネルの両表示画面を、少なくとも１種類以上の粒子からなり電界駆動可能な表示媒体を２枚の透明基板間に封入し、基板に設けた透明対電極から電界を付与することで表示媒体を移動させて画像等の情報表示を書き換えするドットマトリックス表示方式の表示部パネル１枚で構成したこと、両面表示可能な情報表示用パネルの両表示画面を、透明な電極付き基板で構成し、その２枚の電極付き透明基板の間に、透明でなく、かつ、前記２枚の透明基板の電極と対をなすような電極が両面に設けられた基板を配置して形成された２つの基板間空間にそれぞれ少なくとも１種類以上の粒子からなり電界駆動可能な表示媒体を封入し、基板に設けた対電極から電界を付与することで表示媒体を移動させて画像等の情報表示を書き換えするドットマトリックス表示方式の表示部パネル１枚で構成したこと、両面表示可能な情報表示用パネルの両表示画面を、少なくとも１種類以上の粒子からなり電界駆動可能な表示媒体を一方が透明でもう一方が不透明な２枚の基板間に封入し、基板に設けた対電極から電界を付与することで表示媒体を移動させて画像等の情報表示を書き換えするドットマトリックス表示方式の表示部パネル２枚を組み合わせて構成したこと、および、両表示画面の少なくとも外側に設けた回転軸を有する筐体に、表示させたい情報を取り込むためのメモリー収納部、電池、書換駆動装置、書換モード判断手段および書換モード伝達手段を搭載し、書換モード伝達手段により伝達された書換モード情報に応じて表示する情報を書き換える両面表示可能な情報表示パネルをもって構成されていること、がある。
【発明の効果】
【０００９】
本発明の両面表示式情報表示装置によれば、両面表示可能な情報表示用パネルをその周囲の少なくとも一部に回転軸を有する筐体とともに一体とし、この回転軸を枠体に回転自在に装着して構成され、回転軸と平行な情報表示用パネルの一方の縁部に、情報書換モードがページ送り書換モードかページ戻し書換モードかを判断する書換モード判断手段と、判断した書換モード情報を書換駆動装置に書換信号として伝達する書換モード伝達手段とを設け、情報表示用パネルの回転方向に応じた情報書換モードで書換駆動装置を作動させることにより情報表示用パネルの一方の表示面に次ページ情報または前ページ情報を表示するようにしたため、１枚の情報表示用パネルを１枚の紙の表裏面のように利用することができ、書き換えた情報が表示されるまで待つ動作をなくすことができ、さらに、従来の紙媒体書籍と同じ感覚でページをめくって進めたり戻したりして読み進めることができる両面表示式情報表示装置を提供することができる。
【発明を実施するための最良の形態】
【００１０】
＜第１実施例＞
図１（ａ）、（ｂ）はそれぞれ、本発明の両面表示式情報表示装置（電子書籍）の第１実施例を説明するための図であり、図１（ａ）はその正面図を示し、図１（ｂ）は図１（ａ）のＡ−Ａ線に沿った断面図を示している。図１（ａ）、（ｂ）に示す例において、両面表示式情報表示装置（電子書籍）１は、両面表示可能な１枚の表示部パネルの周囲に情報表示用パネル筐体３を設けて構成した両面表示可能な情報表示用パネル２と一体に、情報表示用パネル筐体３の左右のそれぞれの辺の中央部に外側に突出して回転軸５を設け、回転軸５を枠体６に回転自在に装着して、前後回転書換方式の両面表示式情報表示装置（電子書籍）として構成されている。
【００１１】
図１（ａ）、（ｂ）に示す例では、回転軸５と平行な一方の縁部である情報表示用パネル筐体３の上側の縁部に、情報書換モードがページ送り書換モードかページ戻し書換モードかを判断する書換モード判断手段７と、判断した書換モード情報を書換駆動装置１１に書換信号として伝達する書換モード伝達手段８とを搭載している。本実施例では、書換モード判断手段７を、図６（ａ）〜（ｆ）に示すように、情報表示用パネル２の回転開始時に枠体６と接触回転するローラ１２を有する回転スイッチ１３によって構成している。書換モード伝達手段８としては、無線により書換モード情報を書換駆動装置１１に伝達するものを用いても、有線により書換モード情報を書換駆動装置１１に伝達するものを用いてもよい。
【００１２】
また、図１（ａ）、（ｂ）に示す例では、両面表示可能な情報表示用パネル２の両表示画面を、帯電粒子からなる電界駆動可能な表示媒体を２枚の透明基板間に封入し、基板に設けた透明対電極から電界を付与することで表示媒体を移動させて画像等の情報表示を書き換えする表示部パネル１枚で構成している。さらに、両表示画面の外側となる情報表示用パネル筐体３の縁部に、表示させたい情報を取り込むためのメモリー収納部９、電池１０および書換駆動装置（表示媒体駆動装置）１１が搭載されており、書換モード伝達手段８から書換駆動装置１１に書換モード情報を書換信号として伝達して、情報表示用パネル２の回転方向に応じた情報書換モードで書換駆動装置１１を作動させることにより、情報表示パネル２の一方の表示画面（図１（ａ）、（ｂ）の場合、紙面の裏側の面）に、次ページ情報または前ページ情報を表示（書換表示）するように構成されている。裏側画面に表示された情報は、情報表示用パネルを回転させて紙面の表側に向いたときに読めるように表示される。
【００１３】
図６（ａ）〜（ｆ）はそれぞれ、本発明の第１実施例の両面表示式情報表示装置における表示情報の書換動作を説明するための図である。
まず、情報表示用パネル２を、回転軸５を中心にして順回転（図１（ａ）において情報表示用パネル２の上方の縁部が奥に倒れるような回転）させると、図６（ａ）に示すように、枠体６に接触しているローラ１２が右回転する。次に、図６（ｂ）に示すように、ローラ１２が枠体６から離れてローラ１２の回転が停止すると、ローラ１２の回転方向で書換モードであることが判断され、書換動作が開始される。次に、図６（ｃ）に示すようなローラ１２の回転が停止した状態のまま、情報表示用パネル２をさらに順回転させると、書換動作を継続しながら情報表示用パネル２の縁部が移動して、図６（ｄ）に示すようにローラ１２が反対側の枠体６に接触し始める。このとき、書換動作は終了している。その後、図６（ｅ）に示すように、反対側の枠体６とローラ１２との接触によりローラ１２が微量回転することにより、一連の書換動作の終了が判断される。そして、図６（ｆ）に示すようにローラ１２が反対側の枠体６の中央で停止して、「ページめくり動作」を終了する。
この図６（ｆ）の状態から、次の書換動作を開始する際には、図中の下側の矢印のように情報表示用パネル２を順回転させると「ページ送り動作」を開始し、図中の上側の矢印のように情報表示用パネル２を逆回転させると「ページ戻し動作」を開始する。
【００１４】
＜第２実施例＞
図２（ａ）、（ｂ）はそれぞれ、本発明の両面表示式情報表示装置（電子書籍）の第２実施例を説明するための図であり、図２（ａ）はその正面図を示し、図２（ｂ）は図２（ａ）のＡ−Ａ線に沿った断面図を示している。図２（ａ）、（ｂ）に示す例において、図１（ａ）、（ｂ）に示す例と同一の部材には同一の符号を付して、その説明を省略する。図２（ａ）、（ｂ）に示す例において、図１（ａ）、（ｂ）に示す例と異なる点は、両面表示可能な情報表示用パネル２の両表示画面を、帯電粒子からなる電界駆動可能な表示媒体を一方が透明でもう一方が不透明な２枚の基板間に封入し、基板に設けた対電極から電界を付与することで表示媒体を移動させて画像等の情報表示を書き換えする表示部パネル２−１、２−２を２枚の互いの背面を合わせて構成したことと、書換モード判断手段７を、図７（ａ）〜（ｆ）に示すように、倒れこみスイッチ１４と、情報表示用パネル２の回転開始時に係合して倒れこみスイッチ１４を倒れさせるように枠体６に設けられた係合部材１５とにより構成したことである。倒れこみスイッチ方式で用いるスイッチは、倒れた後に情報表示パネル２が離れると自動的に元の位置に復帰するようにしておく。
【００１５】
図７（ａ）〜（ｆ）はそれぞれ、本発明の第２実施例の両面表示式情報表示装置における表示情報の書換動作を説明するための図である。
まず、情報表示用パネル２を、回転軸５を中心にして順回転（図２（ａ）において情報表示用パネル２の上方の縁部が奥に倒れるような回転）させると、図７（ａ）に示すように枠体６に設けられた係合部材１５の溝部に倒れこみスイッチ１４の先端が係合している状態から、情報表示パネル２の移動が開始する。次に、図７（ｂ）に示すように、倒れこみスイッチ１４の先端が係合部材１５により倒れ、倒れた方向で書換モードであることが判断され、書換動作が開始される。次に、図７（ｃ）に示すように、倒れこみスイッチ１４は弾性力によって元の位置に復帰した状態で、情報表示用パネル２をさらに順回転させると、書換動作を継続しながら情報表示用パネル２の縁部が移動して、図７（ｄ）に示すように倒れこみスイッチ１４の先端が反対側の枠体６に設けられた係合部材１５に接触しながら所定の位置に停止する。このとき、書換動作は終了している。その後、図７（ｅ）に示すように、反対側の枠体６に設けられた係合部材１５と倒れこみスイッチ１４の先端との係合により倒れこみスイッチ１４の先端が倒れることにより、一連の書換動作の終了が判断される。そして、図７（ｆ）に示すように倒れこみスイッチ１４の先端が反対側の枠体６に設けられた係合部材１５の溝部で停止して、「ページめくり動作」を終了する。
この図７（ｆ）の状態から、次の書換動作を開始する際には、図中の下側の矢印のように情報表示用パネル２を順回転させると「ページ送り動作」を開始し、図中の上側の矢印のように情報表示用パネル２を逆回転させると「ページ戻し動作」を開始する。
【００１６】
＜第３実施例＞
図３は本発明の両面表示式情報表示装置（電子書籍）の第３実施例を説明するための正面図である。図３に示す例において、図２（ａ）、（ｂ）に示す例と同一の部材には同一の符号を付して、その説明を省略する。図３に示す例において、図２（ａ）、（ｂ）に示す例と異なる点は、両面表示可能な１枚の表示部パネルの周囲に情報表示用パネル筐体３を設けて構成した両面表示可能な情報表示用パネル２と一体に、情報表示用パネル筐体３の上下のそれぞれの辺の中央部に外側に突出して回転軸５を設け、回転軸５を枠体６に回転自在に装着して、左右回転書換方式の両面表示式情報表示装置（電子書籍）として構成したことと、回転軸５と平行な一方の縁部である情報表示用パネル筐体３の右側の縁部に、倒れこみスイッチ１４および係合部材１５から成る書換モード判断手段７と、書換モード伝達手段８とを搭載したことである。
【００１７】
図８（ａ）〜（ｃ）および図９（ａ）〜（ｃ）はそれぞれ、本発明の第３実施例の両面表示式情報表示装置における表示情報の書換動作を説明するための図であり、図８（ａ）〜（ｃ）に示す例ではページ送り動作を、図９（ａ）〜（ｃ）に示す例ではページ戻り動作を、それぞれ説明している。
【００１８】
図８（ａ）〜（ｃ）に示すページ送り動作では、まず、図８（ａ）に示すように、情報表示用パネル２の第１表示面２ａに第１ページの情報が表示された状態で、情報表示用パネル２を左回転させるページ送りを行うと、書換モード判断手段７を構成する倒れこみスイッチ１４が倒れた方向で書換モードであることが判断され、書換動作が開始される。この書換動作により表示用パネル２の第２表示面（裏面）２ｂを第２ページに書き換えしている際には、図８（ｂ）に示す状態になる。次に、情報表示用パネル２をさらに左回転させると、書換動作を継続しながら情報表示用パネル２の縁部が移動して、図８（ｃ）に示すように、倒れこみスイッチ１４の先端が反対側の枠体６に設けられた係合部材１５に接触しながら所定の位置に停止して、反対側の枠体６に設けられた係合部材１５と倒れこみスイッチ１４の先端との係合により倒れこみスイッチ１４の先端が倒れることにより、一連の書換動作の終了が判断される。この書換動作終了が判断されるまでの過程で、実際には表示用パネル２の第２表示面（裏面）２ｂに第２ページの情報が表示された状態になっており、ページめくりを終えた時点ですぐに第２ページを見る（読む）ことができる。
【００１９】
図９（ａ）〜（ｃ）に示すページ戻し動作では、まず、図９（ａ）に示すように、情報表示用パネル２の第２表示面（裏面）２ｂに第２ページの情報が表示された状態で、情報表示用パネル２を右回転させるページ戻しを行うと、書換モード判断手段７を構成する倒れこみスイッチ１４が倒れた方向で書換モードであることが判断され、書換動作が開始される。この書換動作により表示用パネル２の第１表示面２ａを第１ページに書き換えしている際には、図９（ｂ）に示す状態になる。次に、情報表示用パネル２をさらに右回転させると、書換動作を継続しながら情報表示用パネル２の縁部が移動して、図９（ｃ）に示すように、倒れこみスイッチ１４の先端が反対側の枠体６に設けられた係合部材１５に接触しながら所定の位置に停止して、反対側の枠体６に設けられた係合部材１５と倒れこみスイッチ１４の先端との係合により倒れこみスイッチ１４の先端が倒れることにより、一連の書換動作の終了が判断され、表示用パネル２の第１表示面２ａに第１ページの情報が表示された状態になって紙面の表側に現れる。
【００２０】
＜第４実施例＞
図４は本発明の両面表示式情報表示装置（電子書籍）の第４実施例を説明するための正面図である。図４に示す例において、図３に示す例と同一の部材には同一の符号を付して、その説明を省略する。図４に示す例において、図３に示す例と異なる点は、回転軸５と平行な一方の縁部である情報表示用パネル筐体３の右側の縁部に搭載する書換モード判断手段７を、ローラ１２を有する回転スイッチ１３によって構成したことである。
【００２１】
第４実施例の両面表示式情報表示装置における表示情報の書換動作は、図８（ａ）〜（ｃ）に示すページ送り動作および図９（ａ）〜（ｃ）に示すページ戻り動作と同様であるので、説明を省略する。
【００２２】
＜第５実施例＞
図５は（ａ）〜（ｅ）はそれぞれ、本発明の両面表示式情報表示装置（電子書籍）の第５実施例を説明するための正面図、下面図、右側面図、展開図および内部断面図である。図５（ａ）〜（ｅ）に示す例は、第１実施例〜第４実施例の両面表示式情報表示装置（電子書籍）１の表面を保護するためにカバーケース（ブックカバー）１６とセットにして、両面表示式情報表示装置１のサイズを例えばＡ４サイズ以下にすることにより、携帯性に優れた両面表示式情報表示装置（電子書籍）１として構成されている。
【００２３】
図５（ａ）〜（ｅ）に示す例は、枠体６の厚さと情報表示パネル筐体３の縁部の厚さを同一にして両面表示式情報表示装置１の厚さを揃え、情報表示パネル２の表示面が情報表示パネル筐体３より外側に出ないように構成した。ブックカバー１６の内側には、図５（ｂ），（ｃ）に示すように、両面表示式情報表示装置（電子書籍）１が回転しないように抑える緩衝部材１７が両面表示式情報表示装置１を挟むように配置されている。両面表示式情報表示装置１は、枠体６および情報表示パネル筐体３の縁部が緩衝部材１７に接するようにブックカバー１６内に収容されており、情報表示パネル２の第１表示面２ａおよび第２表示面２ｂは、図５（ｅ）に示すように、ブックカバー１６および緩衝部材１７により形成される空間内に保護されている。
【００２４】
この第５実施例の両面表示式情報表示装置（電子書籍）１を使用する際には、ブックカバー１６内に収納されている両面表示式情報表示装置（電子書籍）１を引っ張り出すことにより、図５（ｄ）に示すように、両面表示式情報表示装置（電子書籍）１の情報表示パネル２の第１表示面２ａに情報が表示された状態になり、第１表示面２ａに表示された情報を読むことができるようになる。
【００２５】
本発明の第１実施例〜第５実施例の両面表示式情報表示装置によれば、両面表示可能な情報表示用パネル２をその周囲の少なくとも一部に回転軸５を有する筐体６とともに一体とし、回転軸５を枠体６に回転自在に装着して構成され、回転軸５と平行な情報表示用パネル２の一方の縁部に、情報書換モードがページ送り書換モードかページ戻し書換モードかを判断する書換モード判断手段７と、判断した書換モード情報を書換駆動装置に書換信号として伝達する書換モード伝達手段８とを設け、情報表示用パネルの回転方向に応じた情報書換モードで書換駆動装置１１を作動させることにより情報表示用パネル２の一方の表示面に次ページ情報または前ページ情報を表示するようにしたため、１枚の情報表示用パネルを１枚の紙の表裏面のように利用することができ、書き換えた情報が表示されるまで待つ動作をなくすことができ、さらに、従来の紙媒体書籍と同じ感覚でページをめくって進めたり戻したりして読み進めることができる。また、情報の書き換えはページめくりの途中で終了するので、書換表示が終了するまで待つ必要がなく、スピーディーでリズミカルな読書ができるようになる。
【００２６】
＜第１実施例〜第５実施例において用いる情報表示用パネル＞
上述した第１実施例〜第５実施例において、両面表示可能な情報表示用パネル２の両表示画面として好ましい構成は以下の通りである。まず、電界駆動可能な表示媒体としては、帯電粒子を気体中空間で駆動する方式や、帯電粒子を絶縁液体中で駆動する（電気泳動）方式や、半分ずつ帯電極性および色が異なる部分で構成した帯電粒子を絶縁液体とともにマイクロカプセル中で駆動（回転）する方式や、コレステリック液晶方式、エレクトロクロミック方式等の表示メモリー（ｂｉｓｔａｂｌｅ）性を有するものだけでなく、従来の液晶方式のものにも適用できる。また、２枚の（対向）基板には、導電材料で電極を対で設け、この対電極間に形成された電界によって表示媒体を駆動させて画像等の情報表示を書き換える。対電極は、ライン電極を互いに対向直交交差させて形成したり、個別電極を対向させて形成したりすることができる。いずれの場合もドットマトリックス表示方式の情報表示用パネルとすることができる。２枚の透明基板間に設けた透明な対向対電極間に封入した表示媒体を駆動させる場合、薄膜トランジスタ（ＴＦＴ）などの不透明なスイッチ素子を用いる必要がない透明ライン電極を用いたパッシブ駆動が好適に用いられる。ＴＦＴを用いてアクティブ駆動する場合には、このＴＦＴ素子を小さくしたり、隔壁に隠したりする工夫をすればよい。
【００２７】
表示媒体を封止する空間を透明基板と透明であることを要しない基板とで形成した表示部パネルでは、ライン電極で構成した対電極によるパッシブ駆動方式も、個別電極で構成した対電極によるアクティブ駆動方式も好適に用いられる。対電極をドットマトリックス配置することでドットマトリックス型情報表示用パネルとすることができる。両面表示可能な情報表示用パネルの２つの表示部は、表示媒体を２枚の透明な基板間の空間に封止した構成のドットマトリックス表示方式の両面表示が可能な１枚の情報表示用パネルの表裏両表示画面で構成したり、一方の基板が透明なドットマトリックス表示方式の片面表示が可能な情報表示用パネルを２枚背中合わせに重ねて構成したりする。１枚の情報表示用パネルの両表示画面を用いる方式が薄型の情報表示用パネルとできる点および低コストで生産できる点で好ましい。両面表示可能な情報表示用パネルの両表示画面を、２枚の片面表示式表示部パネルで構成したり、２枚の透明基板と１枚の不透明基板で形成する２つの基板間空間に表示媒体を封入した１枚の表示部パネルで構成したりした場合には、ＴＦＴを使ってアクティブ駆動させることも容易にできる。このような表示部パネルには液晶のような表示媒体を用いることもできる。さらにまた、基板としては、ガラス、石英等の無機シートや、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフォン（ＰＥＳ）、アクリル等の有機高分子系シートが適用でき、観察側面となる基板にはこのうち透明なものを用いる。観察面としない基板には透明でないものも適用できる。
【００２８】
次に、情報表示用パネル２の両表示画面に用いる表示部パネルの具体例として、帯電粒子（表示媒体）を気体中空間で駆動する方式の一例を、図１０（ａ）、（ｂ）〜図１２（ａ）、（ｂ）それぞれを参照して説明する。
【００２９】
図１０（ａ）、（ｂ）〜図１２（ａ）、（ｂ）に示した例では、電界駆動可能な粒子からなる表示媒体３３を２枚の基板３１、３２間の空間に封入し、基板３１、３２のそれぞれに設けた電極３５、３６から電界を付与することで、表示媒体３３を移動させて画像等の情報表示を書き換えできるドットマトリックス型表示方式の表示部パネルを示している。また、表示媒体３を封入する基板３１、３２間の空間は、隔壁３４により複数のセル（小部屋）３７で仕切られている。これにより、封入した表示媒体３３が偏ることを防止できる。なお、表示媒体３３をマイクロカプセルに封止した場合には、このマイクロカプセルがセル（小部屋）の機能を有するので、さらにセル（小部屋）を設けなくても良い。
【００３０】
図１０（ａ）、（ｂ）に示す例では、３つのセル３７を表示単位（１ドット）とし、それぞれのセル３７に、白色表示媒体３３Ｗと赤色表示媒体３３Ｒとの２色の組み合わせの表示媒体、白色表示媒体３３Ｗと緑色表示媒体３３Ｇとの２色の組み合わせの表示媒体、白色表示媒体３３Ｗと青色表示媒体３３ＢＬとの２色の組み合わせの表示媒体、を封入してカラードット表示している。図１０（ａ）、（ｂ）に示す例とも観察者に対し赤色ドット表示を行っている。図１０（ａ）と図１０（ｂ）との相違点は、図１０（ａ）に示す例では電極３５、３６をライン電極として構成してパッシブ駆動しているのに対し、図１０（ｂ）に示す例では電極３５、３６を個別電極として構成してアクティブ駆動している点である。また、図１０（ａ）は両面表示可能な表示部パネルとして構成しているので、紙面右側からだけでなく、紙面左側からも観察可能である。ただし、紙面左側からは、紙面右側に表示されている画像のネガ画像が見えている状態となっている。図１０（ｂ）は片面表示可能な表示部パネルとして構成しているので、紙面右側は観察面とはならない。表示媒体の２色の組み合わせは上述した例に限定されるものではなく、例えば、それぞれのセルに黒赤２色、黒緑２色、黒青２色の組み合わせで表示媒体を封入した構成によってもカラードット表示することができる。
【００３１】
図１１（ａ）、（ｂ）に示す例では、３つのセル３７を表示単位（１ドット）とし、図１１（ａ）に示す例ではそれぞれのセル３７の両面の基板に、図１１（ｂ）に示す例では表示面側の基板に、三原色カラーフィルター４１Ｒ、４１Ｇ、４１ＢＬを配置し、白色表示媒体３３Ｗと黒色表示媒体３３Ｂの２色の表示媒体によってカラードット表示している。図１１（ａ）、（ｂ）とも観察者に対し青色ドット表示を行っている。図１１（ａ）と図１１（ｂ）との相違点は、図１１（ａ）に示す例では電極３５、３６をライン電極として構成してパッシブ駆動しているのに対し、図１１（ｂ）に示す例では電極３５、３６を個別電極として構成してアクティブ駆動している点、および、図１１（ａ）ではパネルの両基板にカラーフィルターを設けて両面でカラー表示する構成としているのに対し、図１１（ｂ）ではパネルの一方の基板にのみカラーフィルターを設けている点、である。また、図１１（ａ）は両面表示可能な表示部パネルとして構成しているので、紙面右側からだけでなく、紙面左側からも観察可能である。ただし、紙面左側からは、紙面右側に表示されている画像のネガ画像が見えている状態となっている。図１１（ｂ）は片面表示可能な表示部パネルとして構成しているので、紙面右側は観察面とはならない。他の構成として、４つのセル３７を表示単位（１ドット）とし、それぞれのセル３７に三原色カラーフィルターと無色のカラーフィルターとを配置し、白黒２色の表示媒体によってカラードット表示することもできる。
【００３２】
また、カラーフィルターを用いてカラー表示する場合（図１１（ａ））には、表裏両面にカラーフィルターを設けることが好ましいが、どちらかの面ではカラー表示でなく２色で表示させたい場合にはどちらか１面にカラーフィルターを設けるだけでよい。このように構成することで、両面表示可能な表示部パネルとして、一面を高精細な文字等の情報を表示するのに好適なモノクロ表示とし、他の面を図形等の情報を表示するのに好適なカラー表示としたパネルを得ることができる。もちろん、用途に応じて、両面モノクロ表示とすることもできる。
【００３３】
図１２（ａ）、（ｂ）に示す例では、３つのセル３７を表示単位（１ドット）とし、それぞれのセル３７に、白色表示媒体３３Ｗとマゼンタ色表示媒体３３Ｍとの２色の組み合わせの表示媒体、白色表示媒体３３Ｗとシアン色表示媒体３３Ｃとの２色の組み合わせの表示媒体、白色表示媒体３３Ｗとイエロー色表示媒体３３Ｙとの２色の組み合わせの表示媒体、を封入してカラードット表示している。図１２（ａ）、（ｂ）とも観察者に対しマゼンタ色ドット表示を行っている。図１２（ａ）と図１２（ｂ）との相違点は、図１２（ａ）に示す例では電極３５、３６をライン電極として構成してパッシブ駆動しているのに対し、図１２（ｂ）に示す例では電極３５、３６を個別電極として構成してアクティブ駆動している点である。また、図１２（ａ）は両面表示可能な表示部パネルとして構成しているので、紙面右側からだけでなく、紙面左側からも観察可能である。ただし、紙面左側からは、紙面右側に表示されている画像のネガ画像が見えている状態となっている。図１２（ｂ）は片面表示可能な表示部パネルとして構成しているので、紙面右側は観察面とはならない。
【産業上の利用可能性】
【００３４】
本発明の両面表示式情報表示装置は、電子書籍、電子マニュアル（取扱説明書）、電子新聞、電子ＰＯＰ（Point of Presence、Point of Purchase advertising）、電子広告、情報ボード、電子値札、電子棚札、電子楽譜などとして好適に利用することができ、さらに、情報表示用パネル表面保護のためにカバーケースとセットにし、情報表示用パネルサイズをＡ４サイズ以下にすることで、携帯性に優れた電子書籍、電子マニュアル（取扱説明者）、電子新聞、電子楽譜などにも好適に適用することができる。
【図面の簡単な説明】
【００３５】
【図１】（ａ）、（ｂ）はそれぞれ、本発明の両面表示式情報表示装置の第１実施例を説明するための図である。
【図２】（ａ）、（ｂ）はそれぞれ、本発明の両面表示式情報表示装置の第２実施例を説明するための図である。
【図３】本発明の両面表示式情報表示装置の第３実施例を説明するための図である。
【図４】本発明の第４実施例に係る両面表示式情報表示装置のページ送り動作を説明するための図である。
【図５】（ａ）〜（ｅ）はそれぞれ、本発明の両面表示式情報表示装置の第５実施例を説明するための正面図、下面図、右側面図、展開図および内部断面図である。
【図６】（ａ）〜（ｆ）はそれぞれ、本発明の第１実施例の両面表示式情報表示装置における表示情報の書換動作を説明するための図である。
【図７】（ａ）〜（ｆ）はそれぞれ、本発明の第２実施例の両面表示式情報表示装置における表示情報の書換動作を説明するための図である。
【図８】（ａ）〜（ｃ）はそれぞれ、本発明の第３実施例の両面表示式情報表示装置における表示情報の書換動作を説明するための図である。
【図９】（ａ）〜（ｃ）はそれぞれ、本発明の第３実施例の両面表示式情報表示装置における表示情報の書換動作を説明するための図である。
【図１０】（ａ）、（ｂ）はそれぞれ、本発明に用いる表示部パネルの一具体例を説明するための図である。
【図１１】（ａ）、（ｂ）はそれぞれ本発明に用いる表示部パネルの他の具体例を説明するための図である。
【図１２】（ａ）、（ｂ）はそれぞれ本発明に用いる表示部パネルのさらに他の具体例を説明するための図である。
【符号の説明】
【００３６】
１  両面表示式情報表示装置
２、２−１、２−２  情報表示用パネル
２ａ  第１表示面
２ｂ  第２表示面
３  情報表示用パネル筐体
５  回転軸
６  枠体
７  書換モード判断手段
８  書換モード伝達手段
９  メモリー収納部
１０  電池
１１  書換駆動装置
１２  ローラ
１３  回転スイッチ
１４  倒れこみスイッチ
１５  係合部材
３１、３２  透明基板
３３  表示媒体
３３Ｗ  白色表示媒体
３３Ｂ  黒色表示媒体
３３Ｒ  赤色表示媒体
３３Ｇ  緑色表示媒体
３３ＢＬ  青色表示媒体
３３Ｍ  マゼンタ色表示媒体
３３Ｃ  シアン色表示媒体
３３Ｙ  イエロー色表示媒体
３４  隔壁
３５、３６  透明電極
３７  セル
４１Ｒ  赤色カラーフィルター
４１Ｇ  緑色カラーフィルター
４１ＢＬ  青色カラーフィルター
【図１】
2008309950.tif 000003
【図２】
2008309950.tif 000004
【図３】
2008309950.tif 000005
【図４】
2008309950.tif 000006
【図５】
2008309950.tif 000007
【図６】
2008309950.tif 000008
【図７】
2008309950.tif 000009
【図８】
2008309950.tif 000010
【図９】
2008309950.tif 000011
【図１０】
2008309950.tif 000012
【図１１】
2008309950.tif 000013
【図１２】
2008309950.tif 000014